(57)【要約】【課題】曲線型足場の構築において、より安定性の高い先行手摺りを提供すること。【解決手段】曲線型足場を構成する支柱間に取り付ける先行手摺りであって、支柱間に配置する、水平材と、水平材の両端に一端を連結するとともに、水平材の下方で互いに交差するように配置する、一対の斜材と、を少なくとも有する。前記斜材は、長尺状の中間部と、中間部の一端側に設け、支柱のフランジに設けたクサビ孔に回動自在に取り付けるための上側接続部と、中間部の他端側に設け、支柱のフランジに設けたクサビ孔に回動自在に取り付けるための下側接続部と、を少なくとも備える。前記上側接続部および下側接続部は、各支柱との取付時に、フランジの上部で支柱と接触する、接触面を有し、前記接触面を平面視して円弧状に構成することで、先行手摺りと支柱との接触安定性を高める。【選択図】図５
2018035612.tif 000002
【特許請求の範囲】
【請求項１】
曲線型足場を構成する支柱間に取り付ける先行手摺りであって、
支柱間に配置する、水平材と、
水平材の両端に一端を連結するとともに、水平材の下方で互いに交差するように配置する、一対の斜材と、を少なくとも有し、
前記斜材は、
長尺状の中間部と、
中間部の一端側に設け、支柱のフランジに設けたクサビ孔に回動自在に取り付けるための上側接続部と、
中間部の他端側に設け、支柱のフランジに設けたクサビ孔に回動自在に取り付けるための下側接続部と、を少なくとも備え、
前記上側接続部および下側接続部は、
各支柱との取付時に、フランジの上部で支柱と接触する、接触面を有し、
前記接触面が、平面視して円弧状を呈していることを特徴とする、
曲線型足場用の先行手摺り。
【請求項２】
前記上側接続部は、
中間部と接続して水平材との連結部を有する、延出部と、
延出部の側方から張り出すように設ける、鍔部と、
延出部の下部から伸びて、支柱への取付時に少なくとも一部がクサビ孔の孔内に位置する、軸部と、
を少なくとも含み、
前記鍔部の側面を、前記接触面としてあることを特徴とする、
請求項１に記載の曲線型足場用の先行手摺り。
【請求項３】
前記接触面の円弧の中心点が、平面視して前記軸部の中心軸上に位置してあることを特徴とする、
請求項２に記載の曲線型足場用の先行手摺り。
【請求項４】
前記軸部の直径を前記クサビ孔の幅長と略等しくするとともに、各支柱との取付時に、前記軸部が前記クサビ孔の連絡側の内壁にほぼ接した状態を呈することを特徴とする、
請求項２または３に記載の曲線型足場用の先行手摺り。
【請求項５】
前記上側接続部は、前記延出部の開放端側を下向きに傾斜する、折曲端を更に有することを特徴とする、
請求項２乃至４のうち何れか１項に記載の曲線型足場用の先行手摺り。
【請求項６】
前記上側接続部は、前記軸部の下端から内側に傾斜して伸びる、鉤部を更に有し、
前記軸部と鉤部との間の連絡面が、側面視して先細形状を呈してあることを特徴とする、
請求項２乃至５のうち何れか１項に記載の曲線型足場用の先行手摺り。
【発明の詳細な説明】
【技術分野】
【０００１】
本発明は、曲線型足場に用いる先行手摺りに関する。
【背景技術】
【０００２】
円形足場や、円弧状にカーブした部分を有する足場などの曲線型足場に用いる先行手摺りとして、以下の特許文献に記載の発明がある。
特許文献１には、図１０に示すように、足場用手摺ａとして隣り合う一対の支柱ｂの間に配置される水平材ａ１と、該水平材ａ１の両端部に枢軸を介して回動自在に枢結されると共に前記水平材ａ１の下方で相互に交差する一対の斜材ａ２とからなり、斜材ａ２の両端に設けた上部軸部材ａ３と下部軸部材ａ４とを、支柱ｂのフランジｃに設けた楔孔ｄに対して、軸部材の軸方向回りに回動自在に軸着した構成が開示されている。
当該構成の足場用手摺によれば、図１１に示すように、平面視して、水平材ａ１の長手方向と楔孔ｄの長手方向とが非平行となるように支柱ｂに取り付けることができる。
【先行技術文献】
【特許文献】
【０００３】
【特許文献１】特開２０１４−８０７９９号公報
【発明の概要】
【発明が解決しようとする課題】
【０００４】
しかし、上記した従来発明では、以下の様な問題のうち、少なくとも何れか１つの問題を有する。
（１）足場用手摺と支柱との接触安定性に乏しい。
上部軸部材ａ３の前端面が平坦形状を呈しているため、支柱ｂに対する水平材ａ１の長手方向の傾斜角度の変化に伴い、足場用手摺ａと支柱ｂとの接触位置が変わったり、足場用手摺ａが支柱ｂに接触しなくなったりといった問題が生じ、接触安定性に乏しい。
（２）足場用手摺にがたつきが生じる。
上記（１）のように、足場用手摺ａと支柱ｂとの間の接触関係が不安定であるため、足場用手摺ａの設置後にも、足場用手摺ａと支柱ｂとの間に生じる隙間や、フランジｃの楔孔ｄと上部軸部材ａ３との間の遊びなどによって、足場用手摺ａが、がたつく恐れがある。
【０００５】
以上の通り、本願発明は、曲線型足場の構築において、より安定性の高い先行手摺りの提供を目的の一つとするものである。
【課題を解決するための手段】
【０００６】
上記課題を解決すべくなされた本願の第１発明は、曲線型足場を構成する支柱間に取り付ける先行手摺りであって、支柱間に配置する、水平材と、水平材の両端に一端を連結するとともに、水平材の下方で互いに交差するように配置する、一対の斜材と、を少なくとも有し、前記斜材は、長尺状の中間部と、中間部の一端側に設け、支柱のフランジに設けたクサビ孔に回動自在に取り付けるための上側接続部と、中間部の他端側に設け、支柱のフランジに設けたクサビ孔に回動自在に取り付けるための下側接続部と、を少なくとも備え、前記上側接続部および下側接続部は、各支柱との取付時に、フランジの上部で支柱と接触する、接触面を有し、前記接触面が、平面視して円弧状を呈していることを特徴とする。
また、本願の第２発明は、前記第１発明において、前記上側接続部は、中間部と接続して水平材との連結部を有する、延出部と、延出部の側方から張り出すように設ける、鍔部と、延出部の下部から伸びて、支柱への取付時に少なくとも一部がクサビ孔の孔内に位置する、軸部と、を少なくとも含み、前記鍔部の側面を、前記接触面としてあることを特徴とする。
また、本願の第３発明は、前記第２発明において、前記接触面の円弧の中心点が、平面視して前記軸部の中心軸上に位置してあることを特徴とする。
また、本願の第４発明は、前記第２発明または第３発明において、前記軸部の直径を前記クサビ孔の幅長と略等しくするとともに、各支柱との取付時に、前記軸部が前記クサビ孔の連絡側の内壁にほぼ接した状態を呈することを特徴とする。
また、本願の第５発明は、前記第２発明乃至第４発明のうち何れか１つの発明において、前記上側接続部は、前記延出部の開放端側を下向きに傾斜する、折曲端を更に有することを特徴とする。
また、本願の第６発明は、前記第２発明乃至第５発明のうち何れか１つの発明において、前記上側接続部は、前記軸部の下端から内側に傾斜して伸びる、鉤部を更に有し、前記軸部と鉤部との間の連絡面が、側面視して先細形状を呈してあることを特徴とする。
【発明の効果】
【０００７】
本願発明によれば、以下に記載する効果のうち、少なくとも何れか１つの効果を奏する。
（１）先行手摺りと支柱との接触安定性に優れる。
各斜材に設けた上側接続部および下側接続部に設けた接触面が円弧状を呈することにより、支柱への取付にあたり、支柱に対する先行手摺りの取付角度に影響を受けることなく、接触面が常に支柱に接触した状態を維持するため、先行手摺りと支柱との接触部分の安定性が高い。
（２）先行手摺りのがたつきを防止することができる。
上側接続部の軸部の直径をクサビ孔の幅長と略等しくするとともに、各支柱との取付時に、軸部がクサビ孔の連絡側の内壁にほぼ接した状態として、接触面の円弧の中心点を平面視して前記軸部の中心軸上に位置した態様とすることにより、支柱と接触面との接触点の位置を同じ位置に留めることができ、支柱に対する先行手摺りの取付角度に影響を受けることなく、先行手摺りと支柱との間のがたつきをより良好に防止することができる。
【図面の簡単な説明】
【０００８】
【図１】本発明に係る先行手摺りの全体構成を示す概略図。
【図２】上側接続部の全体構成を示す概略図。
【図３】上側接続部を支柱に取り付ける際の概略正面図。
【図４】上側接続部を支柱に取り付けた後の概略正面図。
【図５】上側接続部を支柱に取り付けた後の概略平面図。
【図６】下側接続部を支柱に取り付けた後の概略正面図。
【図７】狭持体の全体構成を示す概略図。
【図８】差し込みピンの全体構成を示す概略図。
【図９】下側接続部を支柱に取り付けた後の概略平面図。
【図１０】従来の足場用手摺の構成を示す概略図。
【図１１】従来の足場用手摺を取り付けた曲線型足場の概略平面図。
【発明を実施するための形態】
【０００９】
以下、図面を参照しながら、本発明の実施例について説明する。
【実施例】
【００１０】
＜１＞全体構成（図１）
図１に、本発明に係る先行手摺りの全体構成を示す。
本発明に係る先行手摺りは、曲線型足場において、下層から上層の手摺り部分を先行して設置する部材であり、主として、水平材Ａと、一対の斜材Ｂとを少なくとも有する。
以下、各構成要素の詳細について説明する。
【００１１】
＜２＞水平材
水平材Ａは、作業員の手摺り部分となる部材である。
水平材Ａは、長尺状の本体部１０と、本体部１０の両端に設けた連結部２０と、を備える。
以下、各部の詳細について説明する。
【００１２】
＜２．１＞本体部
本体部１０は、手摺りの主部分となる部材である。
本体部１０は、鋼管、鋼棒などの公知の長尺部材を用いることができ、詳細な説明は省略する。
本体部１０は、一定長を呈するものでも、可変長を呈するものであってもよい。
【００１３】
＜２．２＞連結部
連結部２０は、斜材Ｂの一端を、回動自在に連結するための部材である。
連結部２０は、本体部１０の長手方向に対して下方に所定角度傾斜するように伸びる二枚のプレートからなる。
この二枚のプレート間に、斜材Ｂの一端を挿入して、互いに設けてある貫通孔を介して、公知の手段により、水平材Ａに対して斜材Ｂを回動自在に連結するものとする。
【００１４】
＜３＞斜材
斜材Ｂは、先行手摺りの筋交い部分として機能する部材である。
斜材Ｂは、二本を一組として用い、水平材Ａの下方で互いに構成するように配した状態で、各端部を支柱Ｘに取り付けるよう構成する。斜材Ｂの各端部は、支柱Ｘに設けたフランジＹのクサビ孔との間で回動自在な構成とする。
さらに、斜材Ｂの上端側には、水平材Ａとの連結機構を備える。
【００１５】
上記構成の一例として、本実施例に係る斜材Ｂは、長尺状の中間部３０と、中間部３０の一端側に設けた上側接続部４０と、中間部３０の他端側に設けた下側接続部５０と、を少なくとも備えて構成する。
以下、斜材Ｂを構成する各部の詳細について説明する。
【００１６】
＜４＞中間部
中間部３０は、筋交いの主部分となる部材である。
中間部３０は、鋼管、鋼棒などの公知の長尺部材を用いるものとし、詳細な説明は省略する。
【００１７】
＜５＞上側接続部（図２）
上側接続部４０は、支柱Ｘの上側のフランジＹ１に斜材Ｂを接続するための部材である。
本実施例に係る上側接続部４０は、中間部３０から該中間部３０の長手方向に延出する延出部４１と、前記延出部４１の一端から下向きに折曲してなる折曲端４１２と、前記接触部の側方から張り出すように設ける鍔部４２と、前記折曲端４１２の下部から伸びる軸部４３と、前記軸部４３から内側に傾斜して伸びる鉤部４４と、を少なくとも有して構成する。
以下、上側接続部４０を構成する各部の詳細について説明する。
【００１８】
＜５．１＞延出部
延出部４１は、水平材Ａとの連結箇所となる部材である。
延出部４１は、プレート状の部材で構成する。
延出部４１の一端は、溶接等によって中間部３０と接合する。
延出部４１の中間には、前記した水平材Ａの連結部２０との連結機構である貫通孔４１１を設けている。
【００１９】
＜５．１．１＞折曲端
図２（ａ）に示すように、前記延出部４１には折曲端４１２を形成しておくこともできる。
本実施例では、延出部４１の他端解放端側に、前記中間部３０の長手方向から、やや下向きに垂れるように傾斜した折曲端４１２を形成している。
これは、上側接続部４０をよりスムーズに支柱Ｘへと取り付けるための加工であるが、本発明に必須の構成要素ではない。
【００２０】
＜５．１．２＞突起
図２（ａ）に示すように、前記延出部４１の下端面には突起３１３を設けておくこともできる。
本実施例では、前記した折曲端４１２の根本側の下端面に、該下端面から突出するように突起３１３を設けている。
【００２１】
＜５．１．３＞突起による作用効果（図３）
図３に、上側接続部４０を支柱ＸのフランジＹに取り付ける際のイメージ図を示す。
延出部４１に設けた突起３１３は、先行手摺りを構成する斜材Ｂの上側接続部４０を支柱Ｘに接続する際に、斜材Ｂの長手方向がほぼ鉛直の状態でフランジＹに掛け止めるフックとして機能する。
この状態から、斜材Ｂを水平材Ａの中央側に傾けることによって、後述する軸部４３等のクサビ孔への差し込みを容易に行うことができる。
【００２２】
＜５．２＞鍔部
再度、図２を参照する。
鍔部４２は、支柱Ｘと接触する部材である。
鍔部４２は、前記した延出部４１の他端側において、側方へと張り出すように設ける部材である。
鍔部４２の平面方向は、先行手摺りを支柱Ｘに取り付けた際に、水平材Ａの長手方向と略並行になるよう構成する。
【００２３】
＜５．２．１＞接触面の形成
図２（ｂ）に示すように、鍔部４２は、平面視して、支柱Ｘとの対向側を円弧状に形成しており、その円弧部分の側面が、支柱Ｘとの接触面４２１として機能する。
接触面４２１を構成する円弧の中心点４２２は、後述する軸部４３の中心軸４３１の軸線上とする。
鍔部４２を円弧状とする範囲は、支柱Ｘに対する先行手摺りの設置角度の範囲内である。よって、支柱ＸのフランジＹ１のクサビ孔Ｚ１の長手方向を平面視して０°とした場合には、−９０°から＋９０°（すなわち円弧角が１８０°）の範囲内としておけば足り、先行手摺りの現実的な設置角度の範囲で適宜設定してもよい。
【００２４】
＜５．３＞軸部
軸部４３は、先行手摺りを支柱Ｘに対して回動自在に取り付けるための部材である。
図２（ａ）（ｃ）に示すように、軸部４３は、延出部４１の下端から下方に伸びる円柱状部材である。
さして、軸部４３の直径をクサビ孔Ｚ１の幅長と略等しく構成しておくと、軸部４３がサビ孔の幅方向にずれ動くことはない。
さらに、先行手摺りを支柱に取り付けた状態において、少なくとも軸部４３の一部が、支柱ＸのフランジＹ１のクサビ孔Ｚ１に収まるよう構成する。
当該構成により、軸部４３は、クサビ孔Ｚ１の内部で回転することができ、この軸部４３の回転動作により、支柱Ｘに対して先行手摺りの取付角度を任意の角度に設定することができる。
【００２５】
＜５．４＞鉤部
鉤部４４は、斜材Ｂが、支柱Ｘから安易に抜け出さないようにするための部材である。
図２（ａ）に示すように、鉤部４４は、軸部４３の下端から内側に傾斜して伸びるように設けている。すなわち、軸部４３よりも、鉤部４４の先端位置がより内側に位置するように構成することで、支柱Ｘから抜け出しにくくする作用を目的としている。
【００２６】
＜５．４．１＞軸部との連絡態様
軸部４３から鉤部４４へと向かう連絡面は、段差を形成しないように徐々に先細となる構造を呈することが好ましい。
本実施例では、図２（ａ）（ｃ）に示すように、鉤部４４の厚さを軸部４３よりも薄くしているため、軸部４３から鉤部４４へと向かう連絡面４４１は徐々に先細となるようにテーパを設けておく。
本構造により、鉤部４４がクサビ孔に対しやや偏った位置で挿入されても、前記連絡面４４１によって軸部４３の侵入が案内され、取付作業が遮られることは無い。
【００２７】
＜５．５＞上側接続部の取付後の作用効果（図４，図５）
次に、上側接続部４０を支柱Ｘに取り付けた後の作用効果について、図４，５を参照しながら説明する。
【００２８】
＜５．５．１＞軸部による作用効果（図４）
軸部４３は円柱形状を呈しているため、クサビ孔Ｚ１に回動自在に軸着されることになる。よって、支柱Ｘに対する先行手摺りの取付角度を任意の角度に設定することができる。
また、各支柱Ｘとの取付時に、前記軸部４３が前記クサビ孔Ｚ１の連絡側の内壁Ｚ１１にほぼ接している状態とし、前記接触面４２１の円弧の中心点４２２が、平面視して前記軸部４３の中心軸４３１上に位置してあるように構成している。
当該構成により、軸部４３がクサビ孔の奥行き方向にずれることなく、軸部４３の中心軸４３１を同位置のまま、軸部４３を回転させることができる。
【００２９】
＜５．５．２＞接触面による作用効果（図５）
鍔部４２は、平面視して、支柱Ｘとの対向側を円弧状に形成しており、その円弧部分の側面が、支柱Ｘとの接触面４２１として機能する。
図５（ａ）は、直線型足場での使用、すなわち支柱ＸのフランジＹに設けたクサビ孔Ｚ１の長手方向に対し、水平材Ａの長手方向が平行となる場合の接続状態を表している。
このとき、接触面４２１と支柱Ｘとの接触点４２３は、クサビ孔Ｚ１の中央線と支柱Ｘの外表面との交点部分である。
図５（ｂ）は、曲線型足場での使用、すなわち支柱ＸのフランジＹに設けたクサビ孔の長手方向に対し、水平材Ａの長手方向が非平行となる場合の接続状態を表している。
軸部４３は中心軸４３１回りに回動することから、支柱Ｘに対する先行手摺りの取付角度に関わらず、支柱Ｘと中心軸４３１との離隔距離は図５（ａ）の状態と変化しない。
そして、接触面４２１は、前記中心軸４３１上にある中心点４２２でもって円弧を形成していることから、接触面４２１と支柱Ｘとの接触点４２３は、図５（ａ）と同様、クサビ孔Ｚ１の中央線と支柱Ｘの外表面との交点部分のままである。
【００３０】
このように、接触面４２１と支柱Ｘとの接触点４２３は、支柱Ｘに対する先行手摺りの取付角度に関わらず、常に同じ場所となるため、水平材Ａの軸方向に対する力は、接触点４２３を介して支柱Ｘの側壁に直接伝達されることになる。
よって、支柱Ｘに対する先行手摺りの取付角度に関わらず、常に一定の安定性を確保することができる。
【００３１】
＜５．５．３＞変形例による作用効果（図示せず）
なお、軸部４３の直径を、クサビ孔Ｚ１の幅長よりも狭い長さに構成している場合には、その分だけ軸部４３がクサビ孔Ｚ１の幅方向にずれ動く場合が考えられる。
この場合には、軸部４３の外周面から前記接触面４２１までの水平方向における最大離間距離を、支柱Ｘからクサビ孔Ｚ１の連絡側の内壁Ｚ１１までの距離よりもやや小さい状態としておけば、接触点４２３がクサビ孔Ｚ１の幅方向に偏移した状態で支柱Ｘと接触面４２１との接触状態を維持することができる。よって、当該変形例も本発明の範囲に含まれるものである。
【００３２】
＜６＞下側接続部（図６）
下側接続部５０は、支柱Ｘの下側のフランジＹ２に斜材Ｂを接続するための部材である。
本実施例に係る下側接続部５０は、狭持体５１と、前記狭持体５１に挿入する、差し込みピン５２と、を少なくとも有して構成する。
以下、各構成要素の詳細について説明する。
【００３３】
＜６．１＞狭持体（図７）
狭持体５１は、支柱ＸのフランジＹ２を挟み込んで上下への移動を規制するための部材である。
狭持体５１の一端側は、中間部３０の端部を潰して厚さを薄くした部分を挟み込む二枚のプレートから構成している。
狭持体５１の他端側は、コ字状部材５１２からなり、その凹部に支柱ＸのフランジＹを収容して接合するものとする。
【００３４】
本実施例では、凹部の収容幅は、フランジＹ２の厚さよりも大きく余るような態様としている。これは、斜材Ｂの上側接続部４０を支柱Ｘに取り付けた状態から下側接続部５０を支柱Ｘに取り付ける際に余裕を持たせたり、設置現場での寸法ずれを吸収したりするためである。
【００３５】
コ字状部材５１２を構成する上下のプレートには、それぞれ貫通孔５１２１を設けており、前記差し込みピン５２を挿通可能に構成する。
本実施例では、上側のプレートの貫通孔５１２１ａよりも下側のプレートの貫通孔５１２１ｂの直径が大きくなるよう構成している。
【００３６】
＜６．１．１＞接触面の形成（図７）
コ字状部材５１２の、支柱Ｘとの対向面にあたる箇所は、前記した上側接続部の鍔部４２と同様、必要な範囲で平面視して円弧状に形成することで、支柱Ｘとの接触面５１２２として機能させる。
【００３７】
＜６．２＞差し込みピン（図８）
差し込みピン５２は、狭持体５１に差し込んで、下側接続部５０を支柱Ｘに接続するための部材である。
差し込みピン５２は、狭持体５１の貫通孔と、狭持体５１に収容したフランジＹ２のクサビ孔Ｚ２に挿通することで、両者を連結する部材である。
本実施例に係る差し込みピン５２は、頭部５２１と、頭部５２１から下方に伸びる長軸部５２２と、前記長軸部５２２から下方に伸びる先端部５２３と、でもって構成している。
以下、差し込みピン５２を構成する各部の詳細について説明する。
【００３８】
＜６．２．１＞頭部
頭部５２１は、差し込みピン５２の持ち手部分となる箇所である。
頭部５２１は、水平方向に貫通する貫通孔を設けている。この貫通孔は、差し込みピンを手で引き抜くことができない際に、シノなどの棒状部材を差し込んで引き抜き作業の補助を行うためである。
【００３９】
＜６．２．２＞長軸部
長軸部５２２は、狭持体５１と支柱ＸのフランジＹ２とを連結するための箇所である。
長軸部５２２は、前記狭持体５１のコ字状部材５１２の上下プレートの離隔幅よりも大きな長さを呈する。
また、長軸部５２２の直径は、クサビ孔Ｚ２の幅長よりもやや小さい長さとすることが好ましい。これは、前記の通り、斜材Ｂの上側接続部４０を支柱Ｘに取り付けた状態から下側接続部５０を支柱Ｘに取り付ける際に余裕を持たせるためである。
【００４０】
＜６．２．３＞先端部
先端部５２３は、差し込みピン５２の挿入端となる箇所である。
先端部５２３は、長軸部５２２からやや厚さを薄くし、その連絡面５２３１をテーパ状に形成している。
本構造により、先端部５２３がクサビ孔Ｚ２に対しやや偏った位置で挿入されても、前記連絡面５２３１によって先端部５２３の侵入が案内され、取付作業が遮られることは無い。
先端部５２３には、水平方向にリベット５２４を取り付け可能とし、このリベット５２４を取り付ければ、フランジＹのクサビ孔から差し込みピン５２が安易に抜け出さないように構成することができる。
【００４１】
＜６．３＞下側接続部の取付後の作用効果（図６，９）
以下、下側接続部５０を支柱Ｘに取り付けた後の作用効果について説明する。
図６に示すように、コ字状部材５１２の上側に設けた貫通孔５１２１ａの内周面から、クサビ孔Ｚ２の連絡側の内壁Ｚ２１までの水平側の離隔距離Ｌが長軸部５２２の直径Ｄとほぼ同じとなるように、各部の寸法を調整しておくと、下側接続部５０の取付後に、下側連結部２０が先行手摺りの仮設方向に向かってずれ動く作用を防止することができる。
また、図９に示すように、下側接続部５０に設けた支柱Ｘとの接触面５１２２が円弧状を呈することにより、支柱Ｘに対する先行手摺りの取付角度に影響を受けることなく、常に支柱Ｘに接触した状態を維持するため、常に一定の安定性を確保することができる。
【符号の説明】
【００４２】
Ａ        水平材
１０      本体部
２０      連結部
Ｂ        斜材
３０      中間部
４０      上側接続部
４１      延出部
４１１    貫通孔
４１２    折曲端
４２      鍔部
４２１    接触面
４２２    中心点
４２３    接触点
４３      軸部
４３１    中心軸
４４      鉤部
４４１    連絡面
５０      下側接続部
５１      狭持体
５１１    Ｕ字状部材
５１２    コ字状部材
５１２１  貫通孔
５１２２  接触面
５２      差し込みピン
５２１    頭部
５２１１  貫通孔
５２２    長軸部
５２３    先端部
５２３１  連絡面
５２４    リベット
Ｘ        支柱
Ｙ１，Ｙ２  フランジ
Ｚ１，Ｚ２  クサビ孔
Ｚ１１，Ｚ１２  内壁
【図１】
2018035612.tif 000003
【図２】
2018035612.tif 000004
【図３】
2018035612.tif 000005
【図４】
2018035612.tif 000006
【図５】
2018035612.tif 000007
【図６】
2018035612.tif 000008
【図７】
2018035612.tif 000009
【図８】
2018035612.tif 000010
【図９】
2018035612.tif 000011
【図１０】
2018035612.tif 000012
【図１１】
2018035612.tif 000013